(57)【要約】      （修正有）【課題】分割フェライトコアの連結部で配線を挟み込むことを確実に防止するノイズ吸収部材を提供する。【解決手段】フェライトコア１、２と、各分割コア１、２を収容する複数のケース３、４と、ケース３、４どうしを開閉可能に連結する連結部６と、開放位置において連結部６を挟みケース３、４および分割コア１、２の電線貫通孔１ａ、２ａ側の表面１ａ、１ｂ、２ａ、２ｂに配置され且つ電線貫通方向の全域を被覆する挟み込み防止部材９であって、ケース３、４が開放位置から閉塞位置に移動するのに伴って、連結部６を挟んで対向するケース３、４および分割コア１、２により形成される空間Ｓに電線が挟み込まれることを防止する挟み込み防止部材９とを備えたことを特徴とするノイズ吸収部材。【選択図】図２
2008288276.tif 000002
【特許請求の範囲】
【請求項１】
複数の分割コアを有し、前記分割コアが組み立てられた場合に、電線が貫通する電線貫通孔が形成され且つ貫通する電線から発生するノイズを吸収するフェライトコアと、
前記各分割コアを収容する複数のケースと、
前記分割コアどうしが離隔して前記電線を内部に導入可能な開口が形成される開放位置と、前記分割コアがフェライトコアに組み立てられて前記開口が閉じられ且つ前記電線貫通孔が形成される閉塞位置と、の間で、前記複数のケースどうしを前記電線貫通方向に延びる回転中心に沿って開閉可能に連結する連結部と、
前記開放位置において前記連結部を挟み前記ケースおよび前記分割コアの前記電線貫通孔側の表面に配置され且つ電線貫通方向の全域を被覆する挟み込み防止部材であって、前記ケースが前記開放位置から前記閉塞位置に移動するのに伴って、前記連結部を挟んで対向する前記ケースおよび前記分割コアにより形成される空間に前記電線が挟み込まれることを防止する前記挟み込み防止部材と、
を備えたことを特徴とするノイズ吸収部材。
【請求項２】
前記電線を有する電子機器のフレームに装着するフレーム装着部材、
を備えたことを特徴とする請求項１に記載のノイズ吸収部材。
【請求項３】
前記挟み込み防止部材を収容する挟み込み防止部材収容ケース、
を備えたことを特徴とする請求項１または請求項２のいずれかに記載のノイズ吸収部材。
【請求項４】
前記ケースの外側の表面に形成された溝部と、前記溝部の外方を覆う収容カバーとを有する前記挟み込み防止部材収容ケース、
を備えたことを特徴とする請求項３に記載のノイズ吸収部材。
【請求項５】
帯状のフィルム部材として構成された前記挟み込み防止部材、
前記フィルム部材の一端部を支持する回転軸を有し、前記回転軸に前記フィルム部材を巻き取る力を作用させる前記挟み込み防止部材収容ケース、
前記フィルム部材を巻き取る力に対抗して、前記フィルム部材の他端部を係止するフィルム部材係止部、
を備えたことを特徴とする請求項３に記載のノイズ吸収部材。
【請求項６】
前記ケースおよび前記分割コアの前記電線貫通孔側の表面に貼付・剥離可能な粘着剤が塗布された前記挟み込み防止部材、
を備えたことを特徴とする請求項１ないし請求項５のいずれかに記載のノイズ吸収部材。
【請求項７】
前記電線貫通方向の端面に形成されて、前記分割コアが電線貫通方向に挿入される挿入口と、前記挿入口を開閉する挿入口カバーとを有する前記ケース、
を備えたことを特徴とする請求項１ないし請求項６のいずれかに記載のノイズ吸収部材。
【発明の詳細な説明】
【技術分野】
【０００１】
本発明は、分割フェライトコアを有するノイズ吸収部材に関し、特に、分割フェライトコアの連結部における配線の挟み込みを防止する挟み込みを防止部材を有するノイズ吸収部材に関する。
【背景技術】
【０００２】
従来より、電子機器の不要電磁波等のノイズを吸収するために、電源ケーブルや信号ケーブル等の配線にノイズ吸収部材を設けることが行われている。配線に着脱されるノイズ吸収部材として、一対の半円筒状の分割フェライトコアと、前記分割フェライトコアの外周面を覆い且つ、ヒンジ状の連結部で連結された一対の収納ケースとを有するものが広く普及している。この型のノイズ吸収部材は、配線を挟み込んだ状態で前記分割フェライトコア同士を円筒状に接合することで、円筒状の前記分割フェライトコアの内周面で前記配線の外周面を包囲して固定する（クランプする）。
前記ノイズ吸収部材を前記配線に装着する際に、前記分割フェライトコアの中心でなく、連結部で前記配線が挟み込まれることがあり、ケーブルを破損させたり、装着作業をやり直すことがあった。特に、前記ケーブルが１本または複数本の細径ケーブルが束ねられている場合には、前記分割フェライトコアの接合面で前記細径ケーブルを挟み込み易いという問題がある。
前記分割フェライトコアを有する前記ノイズ吸収部材において、連結部でケーブルを挟み込むことを防止する技術として、例えば、下記の特許文献１〜４記載の技術が知られている。
【０００３】
特許文献１（特開平０６−２１５９５２号公報）には、フェライトコア（３，４）を内装して半環状に形成された分割コアケース（１，２）を、環方向一端部をヒンジ（５）で連結し、他端部を係脱自在に係止可能にしたＥＭＣ（Electro Magnetic Compatibility：電磁環境両立性）用コアケースについての技術が記載されている。また、特許文献１には、前記分割コアケース（１，２）の接合端面より突出する突出部（１ａ〜１ｄ，２ａ〜２ｄ）を、閉じた状態で対向方向に互いに干渉しないようにして設けることにより、ハーネス（９）が前記突出部（１ａ〜１ｄ，２ａ〜２ｄ）にガイドされて前記接合端面間に挟まれることを防止する技術が記載されている。
特許文献２（特開平０６−０８９８１５号公報）には、ケーブル（１１）を挿通する挿通凹部（２ａ，２ｂ）および接合面（３）を有する分割磁性体（１ａ，１ｂ）と、前記挿通凹部（２ａ，２ｂ）に対応する挿通穴（５ａ，５ｂ）および接合部（７）を有し、前記分割磁性体（１ａ，１ｂ）を収容する分割ケース（４ａ，４ｂ）と、前記分割ケース（４ａ，４ｂ）の少なくとも一方の側面に、挿通したケーブル（１１）の移動を防止するように突出する突出部（１３）を備えたノイズ吸収具についての技術が記載されている。
【０００４】
特許文献３（実登３０４５４２６号公報）には、ケーブル（１０）を包囲する形状の軟磁性体（２）と、前記軟磁性体（２）を覆う二分割された収納ケース（１）において、前記ケーブル（１０）延長方向の前記収納ケース（１）端部に各々設けられた突出部（掛け止め部５，６）を、先端が半円状ケーブル挿通溝（８）端から接線方向に突出するように配置して、前記二分割された収納ケース（１）を合体させる時にケーブル（１０）を前記軟磁性体（２）の連結部で挟み込むことを防止する技術が記載されている。
特許文献４（特開平１１−０９７８７５号公報）には、一対の半円筒状のフェライト（１Ａ，１Ｂ）について、前記フェライト（１Ａ，１Ｂ）同士の結合部である分割面（１１）と、前記フェライト（１Ａ，１Ｂ）の内周面との接続部に緩やかな曲面として形成された面取り部（１３）を設けることにより、ケーブル（５）に前記フェライト（１Ａ，１Ｂ）を装着するときに、面取り部（１３）同士が向かい合って形成されるＶ字型の溝により、挟み込まれたケーブル（５）を内側（内周面方向）に押し出す作用、いわゆる、楔作用により、前記ケーブル（５）が前記分割面（１１）で挟み込まれることを防止する技術が記載されている。
【０００５】
【特許文献１】特開平０６−２１５９５２号公報（「０００８」〜「００１２」、図１〜図４）
【特許文献２】特開平０６−０８９８１５号公報（「００１０」〜「００１４」、図１〜図３）
【特許文献３】実登３０４５４２６号公報（「０００８」、「０００９」、図１〜図６）
【特許文献４】特開平１１−０９７８７５号公報（「０００８」〜「００１４」、図１〜図５）
【発明の開示】
【発明が解決しようとする課題】
【０００６】
（従来技術の問題点）
前記ノイズ吸収部材を装着する配線には、直線状で固い材質ではない配線、例えば、細い径の電線が数本束ねられた配線等を使用する場合がある。この場合、電線が細く軟らかいため直線状態とならずに、前記配線の延長方向に対して波打った状態（波打状態）となり易くなる。
したがって、波打状態の配線に前記ノイズ吸収部材を装着する場合、特許文献１〜３記載の技術では、前記収納ケースの両端部では、前記突起部によって配線の両端部が分割フェライトコアの結合部に入り込まないように規制できるが、前記突起部が設けられていない前記収納ケース内部では、波打状態の配線の一部が前記結合部に入り込み易くなってしまう。このため、前記結合部まで入り込んだ波打状態の配線の一部を前記結合部で挟み込み易くなってしまうという問題があった。
【０００７】
また、特許文献４記載の技術も同様に、前記ケーブル（５）として細い径の電線が数本束ねられた配線等を使用した場合には、前記波打状態のケーブル（５）が前記面取り部（１３）の外側の前記分割面（１１）まで入り込み易くなる。このため、前記分割面（１１）まで入り込んだ配線の一部は、前記面取り部（１３）で形成されるＶ字型の溝による楔作用で内側（内周面方向）に押し出すことができないため、前記分割面（１１）で前記ケーブル（５）を挟み込み易くなってしまうという問題があった。また、ハロゲンフリー電線は被覆が薄いことから耐磨耗性に弱くフェライトコア装着時にコアケースのヒンジで擦れて破損する問題がある。
【０００８】
本発明は、前述の事情に鑑み、次の記載内容（Ｏ01）を技術的課題とする。
（Ｏ01）分割フェライトコアの連結部で配線を挟み込むことを確実に防止すること。
【課題を解決するための手段】
【０００９】
前記技術的課題を解決するために、請求項１記載の発明のノイズ吸収部材は、
複数の分割コアを有し、前記分割コアが組み立てられた場合に、電線が貫通する電線貫通孔が形成され且つ貫通する電線から発生するノイズを吸収するフェライトコアと、
前記各分割コアを収容する複数のケースと、
前記分割コアどうしが離隔して前記電線を内部に導入可能な開口が形成される開放位置と、前記分割コアがフェライトコアに組み立てられて前記開口が閉じられ且つ前記電線貫通孔が形成される閉塞位置と、の間で、前記複数のケースどうしを前記電線貫通方向に延びる回転中心に沿って開閉可能に連結する連結部と、
前記開放位置において前記連結部を挟み前記ケースおよび前記分割コアの前記電線貫通孔側の表面に配置され且つ電線貫通方向の全域を被覆する挟み込み防止部材であって、前記ケースが前記開放位置から前記閉塞位置に移動するのに伴って、前記連結部を挟んで対向する前記ケースおよび前記分割コアにより形成される空間に前記電線が挟み込まれることを防止する前記挟み込み防止部材と、
を備えたことを特徴とする。
【００１０】
請求項２に記載の発明は、請求項１に記載のノイズ吸収部材において、
前記電線を有する電子機器のフレームに装着するフレーム装着部材、
を備えたことを特徴とする。
【００１１】
請求項３に記載の発明は、請求項１または請求項２のいずれかに記載のノイズ吸収部材において、
前記挟み込み防止部材を収容する挟み込み防止部材収容ケース、
を備えたことを特徴とする。
【００１２】
請求項４に記載の発明は、請求項３に記載のノイズ吸収部材において、
前記ケースの外側の表面に形成された溝部と、前記溝部の外方を覆う収容カバーとを有する前記挟み込み防止部材収容ケース、
を備えたことを特徴とする。
【００１３】
請求項５に記載の発明は、請求項３に記載のノイズ吸収部材において、
帯状のフィルム部材として構成された前記挟み込み防止部材、
前記フィルム部材の一端部を支持する回転軸を有し、前記回転軸に前記フィルム部材を巻き取る力を作用させる前記挟み込み防止部材収容ケース、
前記フィルム部材を巻き取る力に対抗して、前記フィルム部材の他端部を係止するフィルム部材係止部、
を備えたことを特徴とする。
【００１４】
請求項６に記載の発明は、請求項１ないし請求項５のいずれかに記載のノイズ吸収部材において、
前記ケースおよび前記分割コアの前記電線貫通孔側の表面に貼付・剥離可能な粘着剤が塗布された前記挟み込み防止部材、
を備えたことを特徴とする。
【００１５】
請求項７に記載の発明は、請求項１ないし請求項６のいずれかに記載のノイズ吸収部材において、
前記電線貫通方向の端面に形成されて、前記分割コアが電線貫通方向に挿入される挿入口と、前記挿入口を開閉する挿入口カバーとを有する前記ケース、
を備えたことを特徴とする。
【発明の効果】
【００１６】
請求項１に記載の発明によれば、前記挟み込み防止部材によって前記空間に前記電線が挟み込まれることを確実に防止できる。
請求項２に記載の発明によれば、フレーム装着部材によって前記ノイズ吸収部材を前記フレームに固定できる。
請求項３に記載の発明によれば、前記挟み込み防止部材収容ケースによって前記挟み込み防止部材を収容でき、前記挟み込み防止部材を再利用することができる。
請求項４に記載の発明によれば、前記挟み込み防止部材を収容した前記溝部の外方を覆う前記収容カバーにより、前記挟み込み防止部材の脱落や紛失を防止できる。
【００１７】
請求項５に記載の発明によれば、前記フィルム部材係止部で前記フィルム部材の他端部を係止することにより、前記挟み込み防止部材を、前記開放位置において前記ケースおよび前記分割コアの前記電線貫通孔側の表面に配置された状態で保持できる。また、請求項５に記載の発明によれば、前記フィルム部材の他端部が前記フィルム部材係止部から外されると、前記フィルム部材が前記挟み込み防止部材収容ケースの回転軸に巻き取られる。このため、前記ケースが前記開放位置から前記閉塞位置に移動し、前記空間に前記電線が挟み込まれることを防止された後で、前記挟み込み防止部材を前記電線貫通孔に残さないようにすることができる。この結果、前記挟み込み防止部材により前記フェライトコアのノイズ吸収特性に影響を与えないようにすることができる。
【００１８】
請求項６に記載の発明によれば、前記粘着剤で貼り付けることにより、前記挟み込み防止部材を、前記開放位置において前記ケースおよび前記分割コアの前記電線貫通孔側の表面に配置した状態で保持できる。また、請求項６に記載の発明によれば、前記ケースが前記開放位置から前記閉塞位置に移動し、前記空間に前記電線が挟み込まれることを防止された後で、前記粘着剤を剥離できるため、前記挟み込み防止部材を前記電線貫通孔に残さないようにすることができる。この結果、前記挟み込み防止部材により前記フェライトコアのノイズ吸収特性に影響を与えないようにすることができる。
請求項７に記載の発明によれば、前記分割コアを、開放された前記挿入口から電線貫通方向に沿って挿入することにより、前記ケースに収容できる。したがって、例えば、前記開放位置において前記挟み込み防止部材が前記ケースの前記電線貫通孔側に予め配置されている場合でも、前記分割コアを前記挿入口から前記ケースに収容できる。
【発明を実施するための最良の形態】
【００１９】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２０】
図１は本発明の実施例１のノイズ吸収部材を装着した電源ケーブルの斜視説明図である。
図２は挟み込み防止フィルムで分割フェライトコアケースの結合部を覆った状態のノイズ吸収部材の説明図であり、図２Ａはノイズ吸収部材の前端部の拡大説明図であり、図２Ｂはノイズ吸収部材内部の拡大説明図であり、図２Ｃはノイズ吸収部材の分割フェライトコアケースの全体説明図であり、図２Ｄはノイズ吸収部材のフィルム収納ケースの断面説明図である。
図１において、前後方向（Ｘ軸方向）に延びるケーブルＣには、電子機器（例えば、プリンタ、ＦＡＸ等の画像形成装置）における不要電磁波等のノイズを吸収するために、円筒状のノイズ吸収部材Ｕが装着されている。
【００２１】
また、図１、図２Ａ〜図２Ｃにおいて、前記ノイズ吸収部材Ｕは、一対の半円筒状の分割フェライトコア（分割コア）１，２を有する。前記分割フェライトコア１，２は、前記ケーブル（電線）Ｃが貫通する半円弧状のケーブル貫通面１ａ，２ａと、前記分割フェライトコア１，２同士を円筒状に接合した場合に接合する長方形の開口側接合面１ｂ，２ｂと、連結側接合面１ｃ，２ｃとを有する。
前記分割フェライトコア１，２によってフェライトコア（１＋２）が構成されている。また、前記分割フェライトコア１，２の開口側接合面１ｂ，２ｂおよび連結側接合面１ｃ，２ｃどうしを接合することにより（組み立てることにより）、ケーブル（Ｃ）が貫通する円弧状の電線貫通孔（１ａ＋２ａ）が形成される。
【００２２】
また、前記ノイズ吸収部材Ｕは、前記分割フェライトコア１，２の外周面を覆う一対の分割フェライトコアケース（ケース）３，４を有する。前記分割フェライトコアケース３，４は、前記ケーブルＣの延長方向（Ｘ軸方向）の両端面（＋Ｘ端面、−Ｘ端面）に、前記分割フェライトコア１，２のケーブル貫通面１ａ，２ａのケーブル延長方向に対応する範囲にケーブル貫通部３ａ，４ａが形成されており、前記分割フェライトコア１，２の開口側接合面１ｂ，２ｂおよび連結側接合面１ｃ，２ｃのケーブル延長方向に対応する範囲に開口側接合部３ｂ，４ｂおよび連結側接合部３ｃ，４ｃが形成されている。図２Ａにおいて、前記開口側接合面１ｂ，２ｂおよび前記開口側接合部３ｂ，４ｂの間には、開口Ｋが形成されている。また、前記連結側接合面１ｃ，２ｃおよび前記連結側接合部３ｃ，４ｃとの間には、断面Ｖ字型の隙間（空間）Ｓが形成されている。
【００２３】
半円筒状の分割フェライトコアケース３，４は、円周方向一端部で、互いにヒンジ（連結部）６を介して連結されており、前記ヒンジ６により、前記分割フェライトコア１，２および前記分割フェライトコアケース３，４は開閉可能に構成されている。また、前記分割フェライトコアケース３，４の円周方向他端部には、前記分割フェライトコアケース３側に設けられて接線方向に突出した爪部７ａを有する突部７と、前記分割フェライトコアケース４側に設けられて前記爪部７ａに係合する角枠型の爪固定部８とが形成されている。
また、前記分割フェライトコア１，２および前記分割フェライトコアケース３，４の内側には、前記連結側接合面１ｃ，２ｃおよび前記連結側接合部３ｃ，４ｃを覆う帯状の挟み込み防止フィルム（挟み込み防止部材）９が配置されている。前記挟み込み防止フィルム９は、ケーブル延長方向と同じ方向のフィルム延長方向前端にフィルム貫通孔９ａが形成されており、前記フィルム貫通孔９ａは、前記分割フェライトコアケース４の連結側のケーブル延長方向後端（−Ｘ端）に形成されたフィルム係止部（フィルム部材係止部）１１により係止されている。
【００２４】
また、前記挟み込み防止フィルム９のフィルム延長方向後端は、前記分割フェライトコアケース４のケーブル延長方向前端面（＋Ｘ端面）に支持されたフィルム収納ケース（挟み込み防止部材収容ケース）１２に収納されている。なお、実施例１では、フィルム収納ケース１２が前記分割フェライトコアケース３に支持されていないため、前記分割フェライトコアケース３，４を、図２Ｂ、図２Ｃで示す状態まで開放できる。
図２Ｄにおいて、前記フィルム収納ケース１２内には、前記挟み込み防止フィルム９の後端が支持された回転軸１２ａが回転可能に支持されている。また、前記回転軸１２ａは、図示しない弾性バネによって、前記挟み込み防止フィルム９をロール状に巻き取る方向に引っ張る力（張力）を常に受けている。すなわち、実施例１では、前記フィルム貫通孔９ａが前記フィルム係止部１１に係止された状態では、図２Ｂに示すように、前記回転軸１２ａで巻き取る力に対抗して前記挟み込み防止フィルム９が前記連結側接合面１ｃ，２ｃおよび前記連結側接合部３ｃ，４ｃを覆った状態で保持される。また、前記フィルム貫通孔９ａがフィルム係止部１１から外されると、前記挟み込み防止フィルム９が前記回転軸１２ａに巻き取られる。
【００２５】
また、図１、図２Ａ、図２Ｃにおいて、前記フィルム収納ケース１２の連結側（ヒンジ６側）側端面には、Ｌ字型のフレーム装着部材１３が固定支持されている。前記フレーム装着部材１３は、いわゆる、フック状に形成されており、前記フィルム収納ケース１２の外端面から垂直方向に延びる垂直板１３ａと、前記垂直板１３ａの外端部から前記フィルム収納ケース１２の外端面に対して平行に延びる平行板１３ｂとが一体的に形成されている。
図１において、前記フレーム装着部材１３は、例えば、前記電子機器のフレームＦの装着孔Ｆａに装着できる。実施例１の前記フレームＦでは、平行に配置された２枚のプレートＦ１，Ｆ２と、前記プレートＦ１，Ｆ２を支持する支持部材Ｆ３とが一体的に形成されており、前記プレートＦ１，Ｆ２の間には、間隙Ｆｂが形成されている。
【００２６】
なお、実施例１では、垂直板１３ａの垂直方向の長さ、すなわち、前記フィルム収納ケース１２から前記平行板１３ｂまでの距離は、前記プレートＦ１の厚さ以上となるように予め設定されている。したがって、前記フレーム装着部材１３の平行板１３ｂを前記差込孔Ｆａに差し込んで貫通させた後、前記間隙Ｆａ内の前記平行板１３ｂを前記プレートＦ１の面方向にスライドさせることにより、前記ノイズ吸収部材Ｕが前記フレームＦに装着される。
【００２７】
（実施例１の作用）
図３は実施例１のノイズ吸収部材の作用説明図であり、図３Ａは分割フェライトコアケースの開口から分割フェライトコアのケーブル貫通面にケーブルを挿入した状態を示す図であり、図３Ｂは図３Ａの状態から分割フェライトコアケースを閉じ始めた状態を示す図であり、図３Ｃは図３Ｂの状態から分割フェライトコアケースを完全に閉じた状態を示す図であり、図３Ｄは図３Ｃの状態から挟み込み防止フィルムを巻き取った状態を示す図である。
前記構成を備えた実施例１のノイズ吸収部材Ｕでは、図３Ａで示すように、前記挟み込み防止フィルム９が前記連結側接合面１ｃ，２ｃおよび前記連結側接合部３ｃ，４ｃを覆った状態で、前記ケーブルＣを前記開口Ｋから前記分割フェライトコア１，２のケーブル貫通面１ａ，２ａ側に挿入できる。したがって、実施例１では、前記ケーブルＣは、前記ケーブル貫通面１ａ，２ａ側に挿入するときに、前記挟み込み防止フィルム９の内側面で支持されるため、前記挟み込み防止フィルム９の外側面より外側の前記隙間Ｓに入りこむことを防止できる。
【００２８】
また、図３Ｂに示すように、図３Ａの状態から前記分割フェライトコアケース３，４を閉じてゆくと、前記開口Ｋおよび前記隙間Ｓが狭くなる。このとき、前記挟み込み防止フィルム９は、前記連結側接合面１ｃ，２ｃおよび前記連結側接合部３ｃ，４ｃ全体を覆った状態であるため、前記連結側接合面１ｃ，２ｃおよび前記連結側接合部３ｃ，４ｃに挟まれない状態を保持できる。すなわち、前記挟み込み防止フィルム９が前記隙間Ｓに入り込まずに前記隙間Ｓを覆った状態を保持できる。
そして、図３Ｃに示すように、図３Ｂの状態から前記分割フェライトコアケース３，４を完全に閉じて前記開口Ｋおよび前記隙間Ｓが無くなった状態で、前記突部７の前記爪部７ａに前記爪固定部８を係合させて固定すると、前記挟み込み防止フィルム９は、前記ケーブルＣと、前記ケーブル貫通面１ａ，２ａおよび前記ケーブル貫通部３ａ，４ａとの間に形成された空間に囲まれた状態で保持される。
【００２９】
したがって、実施例１のノイズ吸収部材Ｕでは、前記ケーブルＣは、前記分割フェライトコアケース３，４を閉じるときに、前記隙間Ｓを覆う前記挟み込み防止フィルム９の内側面で支持されているため、前記ケーブルＣが前記挟み込み防止フィルム９の外側面より外側の前記隙間Ｓに入りこむことを確実に防止でき、前記連結側接合面１ｃ，２ｃおよび前記連結側接合部３ｃ，４ｃに挟み込まれることを確実に防止できる。この結果、挟み込みによる前記ケーブルＣの損傷や磨耗等のダメージを確実に防止できる。
【００３０】
また、図３Ｄに示すように、図３Ｃの状態から前記挟み込み防止フィルム９のフィルム貫通孔９ａがフィルム係止部１１（図２Ｃ参照）から外されると、前記挟み込み防止フィルム９が前記フィルム収納ケース１２の回転軸１２ａ（図２Ｄ参照）に巻き取られる。したがって、実施例１のノイズ吸収部材Ｕでは、前記分割フェライトコアケース３，４を閉じた後、前記分割フェライトコア１，２のケーブル貫通面１ａ，２ａに前記挟み込み防止フィルム９を残さないようにすることができる。この結果、前記挟み込み防止フィルム９により前記分割フェライトコア１，２のノイズ吸収特性に影響を与えないようにすることができる。
また、巻き取られた前記挟み込み防止フィルム９については、図３Ａ〜図３Ｄの各状態において、ほとんど損傷することがないため、前記ケーブルＣを取り外した後で再度装着する場合でも再利用することができる。
【００３１】
さらに、実施例１のノイズ吸収部材Ｕは、フック状の前記フレーム装着部材１３により、前記電子機器のフレームＦの装着孔Ｆａに装着できる（図１参照）。このため、例えば、前記電子機器を移動させた場合、前記ケーブルＣや前記ノイズ吸収部材Ｕが動いて前記フレームＦ等と接触することを低減できる。この結果、前記フレームＦに固定されない場合に比べて、前記ケーブルＣや前記ノイズ吸収部材Ｕの破損や磨耗等を低減できる。また、前記フレームＦの装着孔Ｆａを適切な場所に配置して、前記ノイズ吸収部材Ｕを装着することで配線スペースを低減できる。
なお、実施例１では、前記分割フェライトコアケース３，４を完全に閉じた後で前記挟み込み防止フィルム９を巻き取っているが、これに限定されず、完全に閉じる間際に、前記フィルム貫通孔９ａをフィルム係止部１１（図２Ｃ参照）から外して、前記挟み込み防止フィルム９を巻き取ることもできる。
【実施例２】
【００３２】
図４は本発明の実施例２のノイズ吸収部材の説明図であり、図４Ａは実施例１の図２Ａに対応する説明図であり、図４Ｂは図２Ｂに対応する説明図である。
次に本発明の実施例２のノイズ吸収部材の説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
図４Ａにおいて、本発明の実施例２のノイズ吸収部材Ｕでは、前記分割フェライトコアケース３の外周面には、実施例２の挟み込み防止フィルム１６を収容するフィルム収容凹部３ｄが形成されている（図４Ａの１点破線参照）。また、前記フィルム収容凹部３ｄの外方には、前記フィルム収容凹部（溝部）３ｄを開閉するフィルム収納カバー（収容カバー）３ｅが回転中心３ｆを中心として開閉可能に支持されている。
前記フィルム収容凹部３ｄと、前記フィルム収納カバー３ｅとによって実施例２の挟み込み防止部材収容ケース（３ｄ＋３ｅ）が構成されている。
【００３３】
また、図４Ｂにおいて、実施例２の前記挟み込み防止フィルム１６は、実施例１とは異なり、前記分割フェライトコアケース３，４のケーブル延長方向前端面（＋Ｘ端面）、前記ケーブル貫通面２ａおよび前記ケーブル貫通部４ａと対応する範囲（図４Ａ参照）に塗布された粘着剤１６ａで貼り付けられている。なお、実施例２では、前記粘着剤１６ａは、前記挟み込み防止フィルム１６を面方向に沿って引き剥がした場合でも、前記挟み込み防止フィルム１６が貼り付けられた前記前端面、前記連結側接合面２ｃおよび前記連結側接合部４ｃに前記粘着剤１６ａが残らず、各面を汚さない程度の弱い粘着力となるように予め設定されている。
また、実施例２では、実施例１のフィルム係止部１１およびフィルム収納ケース１２が省略されており、実施例２のフレーム装着部材１３′は、前記分割フェライトコアケース４の連結側のケーブル延長方向中央部に固定支持されている。
【００３４】
（実施例２の作用）
前記構成を備えた実施例２のノイズ吸収部材Ｕでは、前記挟み込み防止フィルム１６は、前記粘着剤１６ａで前記分割フェライトコアケース３，４のケーブル延長方向前端面（＋Ｘ端面）、前記ケーブル貫通面２ａおよび前記ケーブル貫通部４ａに貼り付けられている（図４Ａ、図４Ｂ参照）。したがって、前記連結側接合面１ｃ，２ｃおよび前記連結側接合部３ｃ，４ｃは、前記挟み込み防止フィルム１６で覆われている。この状態で、前記ケーブルＣを前記開口Ｋから前記分割フェライトコア１，２のケーブル貫通面１ａ，２ａ側に挿入すると、前記ケーブルＣは、前記挟み込み防止フィルム１６により前記隙間Ｓに入り込むことが防止される。したがって、前記分割フェライトコアケース３，４を閉じても（図３Ａ〜図３Ｃ参照）、前記ケーブルＣは、前記挟み込み防止フィルム１６により前記隙間Ｓに入りこむことを確実に防止でき、前記連結側接合面１ｃ，２ｃおよび前記連結側接合部３ｃ，４ｃに挟み込まれることを確実に防止できる。この結果、挟み込みによる前記ケーブルＣの損傷や磨耗等のダメージを確実に防止できる。
【００３５】
また、実施例２では、前記分割フェライトコアケース３，４が完全に閉じられた状態で（図３Ｃ参照）、挟み込み防止フィルム１６を面方向に沿って引き剥がすことができる。すなわち、前記挟み込み防止フィルム１６をケーブル延長方向に引き抜くことができる。したがって、実施例２のノイズ吸収部材Ｕでは、前記分割フェライトコアケース３，４を閉じた後、前記分割フェライトコア１，２のケーブル貫通面１ａ，２ａに前記挟み込み防止フィルム１６を残さないようにすることができる。また、実施例２の前記挟み込み防止フィルム１６は、貼り付けられた前記前端面、前記連結側接合面２ｃおよび前記連結側接合部４ｃに前記粘着剤１６ａを残さず、各面を汚さないで取り外すことができる。この結果、前記挟み込み防止フィルム１６や前記粘着剤１６ａにより前記分割フェライトコア１，２のノイズ吸収特性に影響を与えないようにすることができる。
【００３６】
また、引き抜かれた前記挟み込み防止フィルム１６については、ほとんど損傷することがないため、前記フィルム収容凹部３ｄ（図４Ａ参照）に収容しておくことにより、前記ケーブルＣを取り外した後で再度装着する場合でも再利用することができる。
その他、実施例２のノイズ吸収部材Ｕは、実施例１のノイズ吸収部材Ｕと同等の作用効果を奏する。
なお、実施例２では、前記分割フェライトコアケース３，４を完全に閉じた後で前記挟み込み防止フィルム１６を取り外しているが、これに限定されず、完全に閉じる間際に、前記挟み込み防止フィルム１６を取り外すこともできる。
【実施例３】
【００３７】
図５は本発明の実施例３のノイズ吸収部材の説明図であり、図５Ａは実施例１の図２Ａに対応する説明図であり、図５Ｂは図２Ｂに対応する説明図であり、図５Ｃは図２Ｃに対応する説明図である。
次に本発明の実施例３のノイズ吸収部材の説明を行うが、この実施例３の説明において、前記実施例１の構成要素に対応する構成要素には同一の符号を付して、その詳細な説明を省略する。この実施例３は、下記の点で前記実施例１と相違しているが、他の点では前記実施例１と同様に構成されている。
【００３８】
図５Ａ〜図５Ｃにおいて、本発明の実施例３のノイズ吸収部材Ｕでは、前記挟み込み防止フィルム９′は、実施例１とは異なり、前記開口Ｋの外側に張架された状態で配置されている。前記挟み込み防止フィルム９′は、ケーブル延長方向に対して直交するフィルム延長方向前端にフィルム貫通孔９ａ′が形成されており、前記フィルム貫通孔９ａ′は、実施例３のフィルム係止部１１′により係止されている。実施例３のフィルム係止部１１′は、実施例１とは異なり、前記分割フェライトコアケース４の開放側のケーブル延長方向中央部に固定支持されている。
また、前記挟み込み防止フィルム９′は、フィルム延長方向後端が、前記分割フェライトコアケース３の開放側に配置された実施例３のフィルム収納ケース１２′に収容されている。実施例３のフィルム収納ケース１２′は、実施例１のフィルム収納ケース１２と同様に、前記挟み込み防止フィルム９′のフィルム延長方向後端を回転軸１２ａ′（図５Ａ参照）で支持している。また、前記フィルム収納ケース１２′では、図示しない弾性バネの張力により、前記挟み込み防止フィルム９′を前記回転軸１２ａ′に巻き取る力が常に与えられている。
【００３９】
また、前記フィルム収納ケース１２′は、実施例１とは異なり、図５ａで示すように、前記挟み込み防止フィルム９′を引き出す開口部が前記開口Ｋ側に向いた状態で、ケーブル延長方向両端部に渡って配置されている。すなわち、実施例３では、前記フィルム貫通孔９ａ′が前記フィルム係止部１１′に係止された状態では、図５Ａ〜図５Ｃに示すように、前記回転軸で巻き取る力に対抗して前記挟み込み防止フィルム９′が前記開口Ｋの外側に張架された状態で保持される。また、前記フィルム貫通孔９ａ′がフィルム係止部１１′から外されると、前記挟み込み防止フィルム９′が前記回転軸１２ａ′に巻き取られる。
また、実施例３では、実施例２と同様に、フレーム装着部材１３′が前記分割フェライトコアケース４の連結側のケーブル延長方向中央部に固定支持されている。
【００４０】
（実施例３の作用）
図６は実施例３のノイズ吸収部材の作用説明図であり、図６Ａは分割フェライトコアケースの開口から分割フェライトコアのケーブル貫通面にケーブルを挿入する直前の状態を示す図であり、図６Ｂは図６Ａの状態から分割フェライトコアケースの開口から分割フェライトコアのケーブル貫通面にケーブルを挿入した状態を示す図であり、図６Ｃは図６Ｂの状態から分割フェライトコアケースを完全に閉じる直前に挟み込み防止フィルム９を巻き取った状態を示す図であり、図６Ｄは図６Ｃの状態から分割フェライトコアケースを完全に閉じた状態を示す図である。
【００４１】
前記構成を備えた実施例３のノイズ吸収部材Ｕでは、前記挟み込み防止フィルム９′は、前記フィルム貫通孔９ａ′がフィルム係止部１１′に係止されると、前記挟み込み防止フィルム９′が前記開口Ｋの外側に張架された状態で保持される。したがって、前記ケーブルＣが取り付けられる前は、図６Ａに示すように、前記挟み込み防止フィルム９′によって、前記開口Ｋより内側である前記隙間Ｓを含む前記分割フェライトコア１，２および前記分割フェライトコアケース３，４の内側全体が覆われている。
図６Ｂにおいて、図６Ａの状態から前記ケーブルＣを前記開口Ｋから前記分割フェライトコア１，２のケーブル貫通面１ａ，２ａ側に挿入すると（押し込むと）、前記挟み込み防止フィルム９′は、前記ケーブルＣに押圧されて前記ケーブルＣと接触する範囲において、前記ケーブルＣに巻き付くように密着した状態で前記ケーブル貫通面１ａ，２ａ側に押し込まれる。このとき、前記フィルム収納ケース１２′に収容されている、前記挟み込み防止フィルム９′が送り出されることもある。
【００４２】
図６Ｂの状態から前記分割フェライトコアケース３，４を閉じ、図６Ｃに示す、完全に閉じる間際に、前記挟み込み防止フィルム９のフィルム貫通孔９ａ′がフィルム係止部１１′から外されると、前記挟み込み防止フィルム９′が前記フィルム収納ケース１２′の回転軸１２ａ′に巻き取られる。このとき、前記開口Ｋおよび前記隙間Ｓがほぼ無くなった状態であるため、前記ケーブルＣは、前記挟み込み防止フィルム９′により前記隙間Ｓに入り込むことが防止される。そして、図６Ｃの状態から前記突部７の前記爪部７ａに前記爪固定部８を係合させて、図６Ｄに示す、前記分割フェライトコアケース３，４を閉じて前記ノイズ吸収部材Ｕを前記ケーブルＣに装着できる。
【００４３】
したがって、実施例３のノイズ吸収部材Ｕでは、前記ケーブルＣは、前記分割フェライトコアケース３，４を閉じるときに、前記挟み込み防止フィルム９′により、前記隙間Ｓに入り込み、前記連結側接合面１ｃ，２ｃおよび前記連結側接合部３ｃ，４ｃに挟み込まれることを確実に防止でき、挟み込みによる前記ケーブルＣの損傷や磨耗等のダメージを確実に防止できる。また、前記分割フェライトコアケース３，４を閉じた後、前記分割フェライトコア１，２の内側に前記挟み込み防止フィルム９′を残さないようにすることができる。さらに、巻き取られた前記挟み込み防止フィルム９′については、ほとんど損傷することがないため、前記ケーブルＣを取り外した後で再度装着する場合でも再利用することができる。
その他、実施例３のノイズ吸収部材Ｕは、実施例１のノイズ吸収部材Ｕと同等の作用効果を奏する。
【実施例４】
【００４４】
図７は本発明の実施例４のノイズ吸収部材の説明図であり、分割フェライトコアケースに分割フェライトコアを収容する直前の要部説明図である。
次に本発明の実施例４のノイズ吸収部材の説明を行うが、この実施例４の説明において、前記実施例２の構成要素に対応する構成要素には同一の符号を付して、その詳細な説明を省略する。この実施例４は、下記の点で前記実施例２と相違しているが、他の点では前記実施例２と同様に構成されている。
図７において、本発明の実施例４のノイズ吸収部材Ｕでは、分割フェライトコアケース３，４は、ケーブル延長方向前端面としてのＵ字板状の分割フェライトコア収納用カバー（挿入口カバー）３ｇ，４ｇが、円周方向中央部に配置されたヒンジ３ｈ，４ｈを介して分割フェライトコアケース３，４本体と連結されている。すなわち、分割フェライトコア収納用カバー３ｇ，４ｇは、前記ヒンジ３ｈ，４ｈにより、前記分割フェライトコアケース３，４本体に対して開閉可能に構成されている。
【００４５】
また、前記分割フェライトコア収納用カバー３ｇ，４ｇの円周方向両端部には、分割フェライトコアケース３，４本体側に突出したカバー用爪部３ｇ１，４ｇ１を有している。また、前記分割フェライトコアケース３，４本体のケーブル延長方向前端部には、円周方向両端で前記カバー用爪部３ｇ１，４ｇ１に係合する角枠型のカバー用爪固定部３ｉ，４ｉが形成されている。
前記カバー用爪部３ｇ１，４ｇ１と前記カバー用爪固定部３ｉ，４ｉとによって前側抜け止め部３ｊ，４ｊが形成されている。
また、前記分割フェライトコアケース３，４本体のケーブル延長方向後端部には、円周方向両端から内側に突出する後側抜け止め部３ｋ，４ｋが形成されている。
前記前側抜け止め部３ｊ，４ｊと、前記後側抜け止め部３ｋ，４ｋとによって、前記分割フェライトコアケース３，４の抜け止め部（３ｊ＋３ｋ，４ｊ＋４ｋ）が構成されている。
【００４６】
さらに、前記フェライトコア１，２には、前記分割フェライトコアケース３，４に収容した状態で前記抜け止め部（３ｊ＋３ｋ，４ｊ＋４ｋ）と嵌合する溝状の被抜け止め部１ｄ，２ｄが形成されている。
なお、実施例４では、前記フェライトコア２が分割フェライトコアケース４本体に収容される前に、ケーブル延長方向に沿って延びる帯状の前記挟み込み防止フィルム１６がケーブル延長方向後端側の前記ケーブル貫通部４ａでのみ予め貼り付けられて支持されている（図７の太線部分参照）。
【００４７】
（実施例４の作用）
前記構成を備えた実施例４のノイズ吸収部材Ｕでは、前記フェライトコア２を分割フェライトコアケース４本体に収容する場合、まず、前記分割フェライトコア収納用カバー４ｇを開放する（図７参照）。次に、前記フェライトコア２を前記分割フェライトコア収納用カバー４ｇ側から前記分割フェライトコアケース４本体側に挿入する。すなわち、前記ケーブル延長方向に沿った矢印Ｙａ方向に前記フェライトコア２を挿入する。そして、前記分割フェライトコア収納用カバー４ｇを閉じて前記カバー用爪固定部３ｉ，４ｉに前記カバー用爪部３ｇ１，４ｇ１を係合させて固定する。
【００４８】
したがって、実施例４のノイズ吸収部材Ｕは、事前に前記挟み込み防止フィルム１６が貼り付けられて、前記開口Ｋ側、すなわち、矢印Ｙｂ方向から前記フェライトコア１，２を前記分割フェライトコアケース３，４に収容することができない場合でも、矢印Ｙａ方向から前記フェライトコア１，２を前記分割フェライトコアケース３，４に収容することができる。
また、前記フェライトコア１，２が前記分割フェライトコアケース３，４に収容された場合に、前記フェライトコア１，２の被抜け止め部１ｄ，２ｄと、前記分割フェライトコアケース３，４の抜け止め部（３ｊ＋３ｋ，４ｊ＋４ｋ）とが嵌合する。したがって、実施例４のノイズ吸収部材Ｕでは、前記フェライトコア１，２が前記分割フェライトコアケース３，４から前記開口Ｋ側に抜け落ちることを防止できる。
その他、実施例４のノイズ吸収部材Ｕは、実施例２のノイズ吸収部材Ｕと同等の作用効果を奏する。
【実施例５】
【００４９】
図８は本発明の実施例５のノイズ吸収部材の説明図であり、図８Ａは実施例２の図４Ａに対応する説明図であり、図８Ｂは図４Ｂに対応する説明図である。
次に本発明の実施例５のノイズ吸収部材の説明を行うが、この実施例５の説明において、前記実施例２の構成要素に対応する構成要素には同一の符号を付して、その詳細な説明を省略する。この実施例５は、下記の点で前記実施例２と相違しているが、他の点では前記実施例２と同様に構成されている。
図７Ａ、図７Ｂにおいて、本発明の実施例５のノイズ吸収部材Ｕでは、実施例２のフィルム収容凹部３ｄ、フィルム収納カバー３ｅおよび回転中心３ｆが省略されている。
また、実施例５の挟み込み防止フィルム１６′は、実施例２とは異なり、実施例２の挟み込み防止フィルム１６のように粘着剤１６ａが塗布されておらず、ケーブル延長方向前方にユーザが把持する把持部１６ａ′が形成されている。
【００５０】
（実施例５の作用）
前記構成を備えた実施例５のノイズ吸収部材Ｕでは、実施例２とは異なり、前記挟み込み防止フィルム１６′の把持部１６ａ′をユーザに把持させて、前記挟み込み防止フィルム１６′を、いわゆる、靴ベラのように使用させる。まず、前記把持部１６ａ′を把持した状態で、ケーブル延長方向に沿って延びる帯状の挟み込み防止フィルム１６′本体を前記分割フェライトコア１，２および前記分割フェライトコアケース３，４の内側に挿入し、前記隙間Ｓ、前記連結側接合面１ｃ，２ｃおよび前記連結側接合部３ｃ，４ｃを覆った状態で保持する。このとき、前記挟み込み防止フィルム１６′は、前記把持部１６ａ′が前記分割フェライトコアケース３の前端面の前方に延びた状態となる（図８Ａ、図８Ｂ参照）。次に、この状態で、前記ケーブルＣを前記開口Ｋ側から前記ケーブル貫通面１ａ，２ａ側に挿入して前記分割フェライトコアケース３，４を閉じる。そして、前記分割フェライトコアケース３，４を完全に閉じた後で、挟み込み防止フィルム１６′本体をケーブル延長方向前方に引き抜くことで、前記挟み込み防止フィルム１６′が取り外される。
【００５１】
したがって、実施例５のノイズ吸収部材Ｕでは、前記挟み込み防止フィルム１６′を靴ベラのように使用することで、実施例２のノイズ吸収部材Ｕと同等の作用効果を奏することができ、効率よく前記ケーブルＣに前記ノイズ吸収部材Ｕを取り付けることができる。さらに、前記挟み込み防止フィルム１６′は構造がシンプルであるため、容易に生産することが可能である。
なお、実施例５では、引き抜かれた前記挟み込み防止フィルム１６′については、実施例２のフィルム収容凹部３ｄが設けられておらず、１度使用した後で使い捨てられることを想定しているが、ほとんど損傷することがないため、再利用することも可能である。
また、実施例５では、前記分割フェライトコアケース３，４を完全に閉じた後で前記挟み込み防止フィルム１６′を取り外しているが、これに限定されず、完全に閉じる間際に、前記挟み込み防止フィルム１６′を取り外すこともできる。
【００５２】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、前記ケーブルＣは、１本の太径ケーブルを使用したが、これに限定されず、例えば、複数本の細径ケーブルが束ねられている場合にも適用可能である。また、例えば、前記ノイズ吸収部材Ｕを装着する位置で前記細径ケーブルをループ状にして前記ケーブル貫通面１ａ，２ａおよび前記ケーブル貫通部３ａ，４ａ内に２重以上の前記細径ケーブルを貫通させる（挟み込ませる）場合にも適用可能である。
【００５３】
（Ｈ02）前記実施例２の分割フェライトコアケース３，４において、フィルム収容凹部３ｄおよびフィルム収納カバー３ｅの位置、大きさ及び範囲については任意に変更可能である。また、回転中心３ｆによる開閉方向等についても任意に変更可能である。
（Ｈ03）前記実施例の前記挟み込み防止フィルム９，９′，１６，１６′は、使用時に前記ケーブルＣや前記フェライトコア１，２等に与える磨耗等のダメージを低減するために、表面の平滑度が高く、十分に薄いものが望ましいが、任意の材料、平滑度、厚さ、強度等で作製することが可能である。
【００５４】
（Ｈ04）前記実施例のフィルム収納ケース１２，１２′において、前記フィルム貫通孔９ａ，９ａ′がフィルム係止部１１，１１′から外されると、前記挟み込み防止フィルム９，９′が前記回転軸１２ａ，１２ａ′に自動的に巻き取られるように設定されているが、これに限定されず、例えば、手動で前記回転軸１２ａ，１２ａ′を回転させて巻き取るように構成することも可能である。
（Ｈ05）前記実施例４において、前記抜け止め部（３ｊ＋３ｋ，４ｊ＋４ｋ）と、嵌合する前記被抜け止め部１ｄ，２ｄとについては、この構成に限定されず、任意の位置、大きさ及び範囲で構成することが可能である。例えば、前記抜け止め部をケーブル延長方向に沿って庇状に形成したり、レール状に形成したりすることも可能である。
（Ｈ06）前記実施例において、フィルム収納カバー３ｅおよび分割フェライトコア収納用カバー３ｇ，４ｇは、それぞれ前記分割フェライトコアケース３，４と連結されているが、これに限定されず、取り外し可能とすることもできる。
【００５５】
（Ｈ07）前記実施例において、前記フレーム装着部材１３，１３′は、前記分割フェライトコアケース３，４の連結側に固定支持されているが、これに限定されず、前記フレーム装着部材１３，１３′の位置は、前記挟み込み防止フィルム９，９′，１６，１６′が前記連結側接合面１ｃ，２ｃおよび前記連結側接合部３ｃ，４ｃを覆った状態で障害とならない範囲であれば任意に変更可能である。また、前記フレーム装着部材１３，１３′は、Ｌ字型のフック状に限定されず、例えば、前記フレームＦに螺子孔を設けた場合、前記螺子孔と螺合する螺子によってフレーム装着部材を構成し、前記ノイズ吸収部材Ｕ自体を回転させて前記フレーム装着部材を前記螺子孔に螺子止めして装着し、前記フレームＦに装着された前記ノイズ吸収部材Ｕに前記ケーブルＣを取り付けることも可能である。また、前記フレーム装着部材は、貫通孔を有する板状に形成し、前記貫通孔を通過して前記フレームＦの螺子孔に螺合する螺子で螺子止めすることで、前記フレームＦに前記ノイズ吸収部材Ｕを装着することも可能である。
【図面の簡単な説明】
【００５６】
【図１】図１は本発明の実施例１のノイズ吸収部材を装着した電源ケーブルの斜視説明図である。
【図２】図２は挟み込み防止フィルムで分割フェライトコアケースの結合部を覆った状態のノイズ吸収部材の説明図であり、図２Ａはノイズ吸収部材の後端部の拡大説明図であり、図２Ｂはノイズ吸収部材内部の拡大説明図であり、図２Ｃはノイズ吸収部材の分割フェライトコアケースの全体説明図であり、図２Ｄはノイズ吸収部材のフィルム収納ケースの断面説明図である。
【図３】図３は実施例１のノイズ吸収部材の作用説明図であり、図３Ａは分割フェライトコアケースの開口から分割フェライトコアのケーブル貫通面にケーブルを挿入した状態を示す図であり、図３Ｂは図３Ａの状態から分割フェライトコアケースを閉じ始めた状態を示す図であり、図３Ｃは図３Ｂの状態から分割フェライトコアケースを完全に閉じた状態を示す図であり、図３Ｄは図３Ｃの状態から挟み込み防止フィルムを巻き取った状態を示す図である。
【図４】図４は本発明の実施例２のノイズ吸収部材の説明図であり、図４Ａは実施例１の図２Ａに対応する説明図であり、図４Ｂは図２Ｂに対応する説明図である。
【図５】図５は本発明の実施例３のノイズ吸収部材の説明図であり、図５Ａは実施例１の図２Ａに対応する説明図であり、図５Ｂは図２Ｂに対応する説明図であり、図５Ｃは図２Ｃに対応する説明図である。
【図６】図６は実施例３のノイズ吸収部材の作用説明図であり、図６Ａは分割フェライトコアケースの開口から分割フェライトコアのケーブル貫通面にケーブルを挿入する直前の状態を示す図であり、図６Ｂは図６Ａの状態から分割フェライトコアケースの開口から分割フェライトコアのケーブル貫通面にケーブルを挿入した状態を示す図であり、図６Ｃは図６Ｂの状態から分割フェライトコアケースを完全に閉じる直前に挟み込み防止フィルム９を巻き取った状態を示す図であり、図６Ｄは図６Ｃの状態から分割フェライトコアケースを完全に閉じた状態を示す図である。
【図７】図７は本発明の実施例４のノイズ吸収部材の説明図であり、分割フェライトコアケースに分割フェライトコアを収容する直前の要部説明図である。
【図８】図８は本発明の実施例５のノイズ吸収部材の説明図であり、図８Ａは実施例２の図４Ａに対応する説明図であり、図８Ｂは図４Ｂに対応する説明図である。
【符号の説明】
【００５７】
１，２…分割コア、
１＋２…フェライトコア、
１ａ＋２ａ…電線貫通孔、
１ａ＋１ｂ＋１ｃ，２ａ＋２ｂ＋２ｃ…電線貫通孔側の表面、
３，４…ケース、
３ｄ…溝部、
３ｅ…収容カバー、
３ｄ＋３ｅ，１２，１２′…挟み込み防止部材収容ケース、
３ｇ，４ｇ…挿入口カバー、
６…連結部、
９，９′，１６，１６′…挟み込み防止部材、
１１，１１′…フィルム部材係止部、
１２ａ，１２ａ′…回転軸、
１３，１３′…フレーム装着部材、
１６ａ…粘着剤、
Ｃ…電線、
Ｆ…フレーム、
Ｋ…開口、
Ｓ…空間、
Ｕ…ノイズ吸収部材。
【図１】
2008288276.tif 000003
【図２】
2008288276.tif 000004
【図３】
2008288276.tif 000005
【図４】
2008288276.tif 000006
【図５】
2008288276.tif 000007
【図６】
2008288276.tif 000008
【図７】
2008288276.tif 000009
【図８】
2008288276.tif 000010